(57)【要約】      （修正有）【課題】サーフボードのフィンに水流の乱流抑止アタッチメントを設け、フィンの水流の乱流を抑制する。【解決手段】フィン10にフィン装着部11が固着一体化しており、平板状のフィンの中央部左右表面形状部分12が上記のフィン装着部11から下方と後方の平面にかけて伸長している。前方稜線付近左右表面形状部分13が上記のフィンの中央部左右表面形状部分12の前部稜線15ａから左右対称に後方に曲線の面状に伸びており、上記のフィンの中央部左右表面形状部分12になだらかに一体的に結合している。後方稜線付近左右表面形状部分14が上記のフィンの中央部左右表面形状部分12の後部稜線14ａから左右対称に前方に放物線の面状または曲線の面状に伸びており、上記のフィンの中央部左右表面形状部分11になだらかに一体的に結合している。【選択図】    図３
2007022408.tif 000002
【特許請求の範囲】
【請求項１】
以下のサーフボードの単独のフィンの表面形状部分であり、それは：フィン装着部、該フィン装着部から下方と後方の平面にかけて伸長する平板状のフィンの中央部左右表面形状部分、該フィンの中央部左右表面形状部分の前部にある前部稜線から左右対称に後方に放物線の面状または曲線の面状に伸びて上記のフィンの中央部左右表面形状部分になだらかに結合している前方稜線付近左右表面形状部分、上記のフィンの中央部左右表面形状部分の後部にある後部稜線から左右対称に前方に放物線の面状または曲線の面状に伸びて上記のフィンの中央部左右表面形状部分になだらかに結合している後方稜線付近左右表面形状部分、及び上記のフィンの中央部左右表面形状部分の前方にある前方稜線付近左右表面形状部分の上方部分に設けられたものであってその前部稜線の上端になだらかに結合するスカート部稜線がそのスカート部稜線の結合点から上記のサーフボードへの先端接触点に向かって前方に末広がりの放物線状または曲線状に伸びており一方そのスカート部稜線から上記のサーフボードに接触する両側面に向かって左右対称の放物線の面状または曲線の面状に広がっているスカート型左右表面形状部分、より構成されることを特徴としたサーフボードの乱流抑止形状フィン。
【請求項２】
以下の左右対称の右フィンと左フィンから成るサーフボードの一対以上の２分割対フィンの表面形状部分であり、それは：
右フィンにおいて；
右フィン装着部、該右フィン装着部から下方と後方の平面にかけて伸長する平板状の右フィンの中央部右表面形状部分、該右フィンの中央部右表面形状部分の前部にある右フィン前部稜線から後方に放物線の面状または曲線の面状に伸びて上記の右フィンの中央部右表面形状部分になだらかに結合している前方稜線付近右表面形状部分、上記の右フィンの中央部右表面形状部分の後部にある右フィン後部稜線から前方に放物線の面状または曲線の面状に伸びて上記の右フィンの中央部右表面形状部分になだらかに結合している後方稜線付近右表面形状部分、及び上記の右フィンの中央部右表面形状部分の前方にある前方稜線付近右表面形状部分の上方部分に設けられたものであってその右フィン前部稜線の上端になだらかに結合する右フィンスカート部稜線がその右フィンスカート部稜線の結合点から上記のサーフボードへの先端接触点に向かって前方に末広がりの放物線状または曲線状に伸びており一方その右フィンスカート部稜線から上記のサーフボードに接触する面に向かって放物線の面状または曲線の面状に広がっているスカート型右表面形状部分、および
上記の右フィンの内側の全面にわたっている起伏のない平面状態の右フィン内側表面部分、並びに：
左フィンにおいて；
左フィン装着部、該左フィン装着部から下方と後方の平面にかけて伸長する平板状の左フィンの中央部左表面形状部分、該左フィンの中央部左表面形状部分の前部にある左フィン前部稜線から後方に放物線の面状または曲線の面状に伸びて上記の左フィンの中央部左表面形状部分になだらかに結合している前方稜線付近左表面形状部分、上記の左フィンの中央部左表面形状部分の後部にある左フィン後部稜線から前方に放物線の面状または曲線の面状に伸びて上記の左フィンの中央部左表面形状部分になだらかに結合している後方稜線付近左表面形状部分、及び上記の左フィンの中央部左表面形状部分の前方にある前方稜線付近左表面形状部分の上方部分に設けられたものであってその左フィン前部稜線の上端になだらかに結合する左フィンスカート部稜線がその左フィンスカート部稜線の結合点から上記のサーフボードへの先端接触点に向かって前方に末広がりの放物線状または曲線状に伸びており一方その左フィンスカート部稜線から上記のサーフボードに接触する面に向かって放物線の面状または曲線の面状に広がっているスカート型左表面形状部分、および
上記の左フィンの内側の全面にわたっている起伏のない平面状態の左フィン内側表面部分、
より構成されることを特徴としたサーフボードの乱流抑止形状フィン。
【請求項３】
請求項１に記載の単独のフィン、該単独のフィンの左右にまたがって設けられた請求項２に記載の１対以上の２分割対フィン、より構成されることを特徴としたサーフボードの乱流抑止形状フィン。
【発明の詳細な説明】
【技術分野】
【０００１】
本発明は、広くはサーフボードに関するものであり、特にこれに装着するフィンに関するものである。就中、その波乗り時に生じる水流の乱流を抑制する形状をしたフィンに関するものである。
【背景技術】
【０００２】
サーフボードは、波に乗る為の遊具あるいはスポーツ用具である。そして、その使い方は、海で沖からの波のウネリを見つけて腹ばいにサーフボードに横たわった状態で、腕で加速して波のウネリに押されたところで立ち上がり、全身もしくは波の崩れる方向に沿って滑るものである。時に、波のウネリによって出来た斜面を利用して上方向とか下方向や左右へとへ自在に動かして楽しむものである。しかして、そのサーフボードの形状は様々であって、波の大きさや形によって、又はウネリの斜面に対しての上下運動の作り方（大きい動き、小さい動きなど）によって変わってくる。そして、全てのサーフボードには安定と加速とコントロールのためにフィンが付いている。フィンは、魚のヒレ状の形をしているもので、板状のサーフボードの海水面に接する部分の後方に付いて、下方に伸びているいるものである。
【０００３】
このフィンの数も様々であり、真ん中に１本のものやそれに左右のフィンを加えて３本のものが主流であるが、左右のみ２本のもの、また３本フィンの左右に更にフィンを加えた５本のものなどがある。このフィンをつける目的は、波乗り時の安定性と波のウネリの斜面滑走時のコントロールである。そして、サーフボードの形状や波の楽しみ方に応じて、フィンの大きさや形を変えて楽しめる。
【０００４】
以前は、サーフボードにフィンがロービング加工（パテで盛るような形状で、魚たちのヒレの根元を再現）して取り付けていたが、最近では取り外し式のものが主流になっている。その理由として、各自に合ったサーフィンをする為、旅行などの際に持ち運びに便利等により形状の違うフィンを取り替えて使用などしている。
【０００５】
しかし、現行のシステムだと、設計上フィンとボードの接着面に角が生まれ、その部分には渦巻きが起こりスムースな水の流れ、動きを阻止する力が働き、加速とターン時のコントロールの際に失速・ブレ・横滑りをおこす。その上取り外し式のフィンにロービング加工を施すとコストの面でも問題がおきる。現状はロービング加工した着脱式のフィンはない。
【０００６】
そこで今回着目した点は、サーフボードとフィンが不自然な形で取り付けられた為に起きるマイナス要因を解消し本来サーフボードとフィンの持つ特性を最大限に引き起こすものである。そこで考え出したものが、現行の取り外し式のフィンにアタッチメント式でつけるものである。このアタッチメントをつけることにより、水の妨げとなる要素を解消し最大限にスピードをつけられ、よりコントロールし易く出来るかに着目している。
【０００７】
現在サーファーのほとんどのものは、ロービング加工のしてあるフィンオンシステム（取り付け済み）での使用を望んでいるが、サーフボードの持ち運びや波に合わせたフィンに取り替え最適な状況で使用することが多いのでリムーバルシステム（取り外し可能）を使用している。
【０００８】
海岸での波乗りを楽しむためのサーフボードには、上述のごとくその進行の方向性などを制御するためのフィンがそのサーフボードの後部の底部に装着される。そして、そのフィンの形状やサイズとか枚数などが様々そのサーファーの好みやスポーツ科学の観点などから考慮されて選ばれている。
【０００９】
ところで、サーフボードのフィンは、その製造工程の簡易さとか製造コストの観点から一枚の平板を最小限の面積を使用して制作している。それゆえに、そのフィンは従来平板状を基本形状としていた。したがって、その平板形状から生じる海水の乱流が生じてしまった。そこで、その乱流防止用の流線型のふくらみ形状を持たせてを持たせたフィン用のアタッチメントを平成１６年９月１４日に下記の特許文献１に記載の特願出願をした。
【特許文献１】特願２００４−２６６９８０
【非特許文献１】Surf Style 2001   株式会社  ▲えい▼出版  発行
【非特許文献２】NALU（ナルー）   株式会社  ▲えい▼出版  発行
【発明の開示】
【発明が解決しようとする課題】
【００１０】
すなわち、水を切ってサーフボードなどの物体が進むときには、水の直接の抵抗ばかりか渦流等の乱流が各所で生じてその物体を、その進行方向に逆らって引き戻すかたちの渦巻き力が働き、さらにはその水平方向にも渦巻きが生じる。したがって、図１のＡに示す右側面図（左側が進行方向）とＢに示す正面図（図中の１点鎖線は中心を示す仮想線）のように、従来のサーフボードＳの従来のフィンＦにスムーズな操作を妨げて不安定さを与える乱流（図１中に矢印で示した線）が生じた。これを防止するためには、その乱流が生じない形状のフィンの制作が必要である。しかし、そのフィンを最初からそのように加工する事は、上述したごとくにその制作の簡素化とかローコスト化する事とにおいて難しくなる、と考えて上記のごとき発明をした。それは、従来のフィンをそのまま使用して、そのフィンの渦巻き等の乱流を生じる形状の個所にその乱流を抑制する形状をしたアタッチメントを付着させる技術である。しかし、そのようなアタッチメントを使用せずに、そのフィン自体を合理的に加工できることがその後の研究により判明した。
【課題を解決するための手段】
【００１１】
本発明にかかるサーフボードの乱流抑止形状フィンは、以上の課題を解決するために、図２のＡに示す右側面図（左側が進行方向）とＢに示す正面図（図中の１点鎖線は稜線を示す仮想線）のように、そのフィンＦ自体が水流の乱流を抑制するようにその水流の自然の流れ（図２中に矢印で示した線）に沿った形状のものとしたのである。
【００１２】
以下に、本発明にかかるサーフボードの乱流抑止形状フィンの具体的な構成を詳細に記載する。最初に、本発明の請求項１に記載した発明の構成を説明する。この発明は、サーフボードの単独のフィンであり、以下のものから成っている。それは：
まず、サーフボードへのフィン装着部がある。つぎに、平板状のフィンの中央部左右表面形状部分がある。この平板状のフィンの中央部左右表面形状部分は、上記のフィン装着部から下方と後方の平面にかけて伸長するものである。そして、前方稜線付近左右表面形状部分がある。この前方稜線付近左右表面形状部分は、上記のフィンの中央部左右表面形状部分の前部ある前部稜線から左右対称に後方に放物線の面状または曲線の面状に伸びており、上記のフィンの中央部左右表面形状部分になだらかに結合しているものである。
【００１３】
さらに、後方稜線付近左右表面形状部分がある。この後方稜線付近左右表面形状部分は、上記のフィンの中央部左右表面形状部分の後部にある後部稜線から左右対称に前方に放物線の面状または曲線の面状に伸びており、上記のフィンの中央部左右表面形状部分になだらかに結合しているものである。最後に、スカート型左右表面形状部分がある。このスカート型左右表面形状部分は、上記のフィンの中央部左右表面形状部分の前方にある前方稜線付近左右表面形状部分の上方部分に設けられたものであって、その前部稜線の上端になだらかに結合するスカート部稜線がそのスカート部稜線の結合点から上記のサーフボードへの先端接触点に向かって前方に末広がりの放物線状または曲線状に伸びており、一方そのスカート部稜線から上記のサーフボードに接触する両側面に向かって左右対称の放物線の面状または曲線の面状に広がっているものである。
【００１４】
つぎに、本発明にかかるサーフボードの乱流抑止形状フィンの請求項２に記載した発明の構成を説明する。しかして、この請求項２の発明は、左右対称の右フィンと左フィンから成るサーフボードの一対以上の２分割対フィンの表面形状部分であり、以下のものから成っている。それは：
【００１５】
右フィンにおいて；
まず、右フィン装着部がある。つぎに、右フィンの中央部右表面形状部分がある。この右フィンの中央部右表面形状部分は、上記の右フィン装着部から下方と後方の平面にかけて伸長する平板状のものである。そして、前方稜線付近右表面形状部分がある。この前方稜線付近右表面形状部分は、上記の右フィンの中央部右表面形状部分の前部にある右フィン前部稜線から後方に放物線の面状または曲線の面状に伸びて、上記の右フィンの中央部右表面形状部分になだらかに結合しているものである。
【００１６】
さらに、後方稜線付近右表面形状部分がある。この後方稜線付近右表面形状部分は、上記の右フィンの中央部右表面形状部分の後部にある右フィン後部稜線から前方に放物線の面状または曲線の面状に伸びて上記の右フィンの中央部右表面形状部分になだらかに結合しているものである。最後に、スカート型右表面形状部分がある。このスカート型右表面形状部分は、上記の右フィンの中央部右表面形状部分の前方にある前方稜線付近右表面形状部分の上方部分に設けられたものであってその右フィン前部稜線の上端になだらかに結合する右フィンスカート部稜線が、その右フィンスカート部稜線の結合点から上記のサーフボードへの先端接触点に向かって前方に末広がりの放物線状または曲線状に伸びているものである。一方、これは、その右フィンスカート部稜線から上記のサーフボードに接触する面に向かって放物線の面状または曲線の面状に広がっているものである。および、
右フィン内側表面部分がある。この右フィン内側表面部分は、上記の右フィンの内側の全面にわたっている起伏のない平面状態のものである。、並びに：
【００１７】
左フィンにおいて；
まず、左フィン装着部がある。つぎに、左フィンの中央部左表面形状部分がある。この左フィンの中央部左表面形状部分は、上記の左フィン装着部から下方と後方の平面にかけて伸長する平板状のものである。そして、前方稜線付近左表面形状部分がある。この前方稜線付近左表面形状部分は、上記の左フィンの中央部左表面形状部分の前部にある左フィン前部稜線から後方に放物線の面状または曲線の面状に伸びて、上記の左フィンの中央部左表面形状部分になだらかに結合しているものである。
【００１８】
さらに、後方稜線付近左表面形状部分がある。この後方稜線付近左表面形状部分は、上記の左フィンの中央部左表面形状部分の後部にある左フィン後部稜線から前方に放物線の面状または曲線の面状に伸びて上記の左フィンの中央部左表面形状部分になだらかに結合しているものである。最後に、スカート型左表面形状部分がある。このスカート型左表面形状部分は、上記の左フィンの中央部左表面形状部分の前方にある前方稜線付近左表面形状部分の上方部分に設けられたものであってその左フィン前部稜線の上端になだらかに結合する左フィンスカート部稜線が、その左フィンスカート部稜線の結合点から上記のサーフボードへの先端接触点に向かって前方に末広がりの放物線状または曲線状に伸びているものである。一方、これは、その左フィンスカート部稜線から上記のサーフボードに接触する面に向かって放物線の面状または曲線の面状に広がっているものである。、さらに：
左フィン内側表面部分がある。この左フィン内側表面部分は、上記の左フィンの内側の全面にわたっている起伏のない平面状態のものである。
【００１９】
最後に、本発明の請求項３に記載した発明の構成を説明する。この発明は、上記の請求項１に記載の単独フィンの左右に、請求項２に記載の２分割対フィンをまたがって設けたサーフボードの乱流抑止形状フィンである。したがって、上記の請求項１と２の発明の説明をここに援用する。
【発明の効果】
【００２０】
本発明にかかるサーフボードの乱流抑止形状フィンは、以上のごとくになしたゆえに、上記の課題を解決して以下のごとき多大な効果が生じた。すなわち、サーフボードのフィンに水流の乱流抑止アタッチメントを設ける事により、そのフィンの水流の乱流を抑制することができた。
【発明を実施するための最良の形態】
【００２１】
サーフボードのフィンに生じる乱流を抑止すると言う目的を、従来のフィンの渦巻き等の乱流が生じない形状の乱流を抑制する形状をしたフィンにした。
【実施例１】
【００２２】
以下に、本発明にかかるサーフボードの乱流抑止形状フィンをその具体的な一実施例を用いて添付の図面と共に詳細に述べる。最初に、その請求項１の実施例である実施例１の単独フィン１０を１枚用いた例を述べる。これは、図２に示す右側面図とその正面図が基本ではある。しかし、本願発明は、サーフボードのフィンに生ずる水流の乱流を制御するためのフィンの表面形状を表す曲線がその技術内容なのである。したがって、その各曲線の部分の区分が実線では現れない。そのために、説明用に各部分を仮想線で区分けをした図３を示した。それで、この図３を用いて以下に説明をする。なお、図３のＡに示す右側面図は、その左側が進行方向で前方向であり、そのＢに示す正面図の図中の中心の１点鎖線は稜線を示す仮想線であるが、これが鋭角の場合には実線になる。しかして、図３に対する左側面図は、図３と対称をなすものである故に、図３を援用してそれを省略した。
【００２３】
これは、サーフボードＳのフィン１０が１本、単独で成るものである。このフィン１０は、その形状が左右対称のものであって、その各部分が以下のような形状に成っていて、一体的に形成されている（以下、図２から図６を参照）。それは：
まず、本願発明の単独のフィン１０にフィン装着部１１が固着一体化している。つぎに、平板状のフィンの中央部左右表面形状部分１２がある。この平板状のフィンの中央部左右表面形状部分１２は、上記のフィン装着部１１から下方と後方の平面にかけて伸長するものである。そして、図３において１点鎖線で見かけ上、区分し分けされた前方稜線付近左右表面形状部分１３がある（図６も参照）。この前方稜線付近左右表面形状部分１３は、上記のフィンの中央部左右表面形状部分１２の前部稜線１３ａから左右対称に後方に放物線の面状または曲線の面状に伸びており、上記のフィンの中央部左右表面形状部分１２になだらかに一体的に結合しているものである。
【００２４】
さらに、これも１点鎖線で見かけ上区分わけされた後方稜線付近左右表面形状部分１４（図６も参照）がある。この後方稜線付近左右表面形状部分１４は、上記のフィンの中央部左右表面形状部分１２の後部稜線１４ａから左右対称に前方に放物線の面状または曲線の面状に伸びており、上記のフィンの中央部左右表面形状部分１２になだらかに一体的に結合しているものである。
【００２５】
最後に、これも、図３と４において１点鎖線で見かけ上区分わけされたスカート型左右表面形状部分１５がある（図３のこの部分の拡大図である図４とその各部分の断面の端面図である図５をも参照）。このスカート型左右表面形状部分１５は、上記のフィンの中央部左右表面形状部分１２の前方にある前方稜線付近左右表面形状部分１３の上方部分に設けられたものであって、その前部稜線１３ａの上端になだらかに一体的に結合するスカート部稜線１５ａがそのスカート部稜線１５ａの結合点から上記のサーフボードＳへの先端接触点Ｓ１に向かって前方に末広がりの放物線状または曲線状に伸びている。一方、そのスカート部稜線１５ａからそのスカート面１５ｂが、上記のサーフボードＳに接触する両側面Ｓ２に向かって左右対称の放物線の面状または曲線の面状に広がっているものである。              
【００２６】
しかして、図３のこの部分の拡大図である図４において、このスカート面１５ｂを明瞭にすべく、その各断面、Ａ−Ａ’線とＢ−Ｂ’線とＣ−Ｃ’線の各端面図を示した図５のＡとＢとＣに表らわした。かように、このスカート面１５ｂは、超高速列車の先頭車の下部前面にある障害物排除用のスカートのように、それらの断面端面図をなだらかな曲線で立体的に結んだ一体的な形状をしているものである。
【実施例２】
【００２７】
つぎに、本発明にかかるサーフボードの乱流抑止形状フィンの請求項２に記載した発明の一実施例の説明をする。なお。この請求項２の発明において、その左右の定義が問題となる。すなわち、本願発明はサーフボードに関するものである故に、その左右の判断はその進行方向を基準とするのが通常である。然るに、この発明の実施例の説明はその説明用の図面なくしては不可能である。そして、その図面の説明においては製図法に基づくゆえに、その左右の定義は正面図を基準にして右手側を「右」とし、左手側を「左」とする。そこで、この左右の呼び方を決定しておかないと「その左右がいずれなのか」が混乱してしまう。したがって、本願発明においては、その説明はその実施例の図面に基づくので、製図法に従っての左右の表現にすることにした。
【００２８】
しかして、この請求項２の発明の実施例は、図７から図１２に示すごとくに左右対称の右フィンＲ１０と左フィンＬ１０の２枚で一対を成す２分割対フィンである。そして、その２分割対フィンが、実施例によっては数対の対フィンから成る。しかして、そのフィンの表面形状部分に関しては、請求項１に述べる単独のフィン１０を、その前後の長さ方向に且つ垂直に２分割して肉厚にした形状のものである。これは、以下のそれぞれ一体化されたフィンから成っている。それは：
【００２９】
右フィンＲ１０において；
まず、右フィン装着部Ｒ１１が２個ある。つぎに、右フィンの中央部右表面形状部分Ｒ１２がある（図８を参照）。この右フィンの中央部右表面形状部分Ｒ１２は、上記の右フィン装着部Ｒ１１から下方と後方の平面にかけて伸長する平板状のものである。そして、前方稜線付近右表面形状部分Ｒ１３がある（図１２も参照）。この前方稜線付近右表面形状部分Ｒ１３は、上記の右フィンの中央部右表面形状部分Ｒ１２の前部にある右フィン前部稜線Ｒ１３ａから後方に放物線の面状または曲線の面状に伸びて、上記の右フィンの中央部右表面形状部分Ｒ１２になだらかに結合しているものである。
【００３０】
さらに、後方稜線付近右表面形状部分Ｒ１４がある（図１２も参照）。この後方稜線付近右表面形状部分Ｒ１４は、上記の右フィンの中央部右表面形状部分Ｒ１２の後部にある右フィン後部稜線Ｒ１４ａから前方に放物線の面状または曲線の面状に伸びており、上記の右フィンの中央部右表面形状部分Ｒ１２になだらかに結合しているものである。最後に、スカート型右表面形状部分Ｒ１５がある。このスカート型右表面形状部分Ｒ１５は、上記の右フィンの中央部右表面形状部分Ｒ１２の前方にある前方稜線付近右表面形状部分Ｒ１３の上方部分に設けられたものであってその右フィン前部稜線Ｒ１３ａの上端になだらかに結合する右フィンスカート部稜線Ｒ１５ａが、その右フィンスカート部稜線Ｒ１５ａの結合点から上記のサーフボードＳへの先端接触点Ｓ１に向かって前方に末広がりの放物線状または曲線状に伸びているものである。一方、これは、その右フィンスカート部稜線Ｒ１５ａから上記のサーフボードＳに接触する面Ｓ２に向かって放物線の面状または曲線の面状に広がっているものである。および、
右フィン内側表面部分Ｒ１６がある（図９と１２を参照）。この右フィン内側表面部分Ｒ１６は、上記の右フィンＲ１０の内側の全面にわたっている起伏のない平面状態のものである。、並びに：
【００３１】
左フィンＬ１０において；
まず、左フィン装着部Ｌ１１が２個ある。つぎに、左フィンの中央部左表面形状部分Ｌ１２がある（図１０を参照）。この左フィンの中央部左表面形状部分Ｌ１２は、上記の左フィン装着部Ｌ１１から下方と後方の平面にかけて伸長する平板状のものである。そして、前方稜線付近左表面形状部分Ｌ１３がある（図１２も参照）。この前方稜線付近左表面形状部分Ｌ１３は、上記の左フィンの中央部左表面形状部分Ｌ１２の前部にある左フィン前部稜線Ｌ１３ａから後方に放物線の面状または曲線の面状に伸びて、上記の左フィンの中央部左表面形状部分Ｌ１２になだらかに結合しているものである。
【００３２】
さらに、後方稜線付近左表面形状部分Ｌ１４がある（図１２も参照）。この後方稜線付近左表面形状部分Ｌ１４は、上記の左フィンの中央部左表面形状部分Ｌ１２の後部にある左フィン後部稜線Ｌ１４ａから前方に放物線の面状または曲線の面状に伸びており、上記の左フィンの中央部左表面形状部分り１２になだらかに結合しているものである。最後に、スカート型左表面形状部分Ｌ１５がある。このスカート型左表面形状部分Ｌ１５は、上記の左フィンの中央部左表面形状部分Ｌ１２の前方にある前方稜線付近左表面形状部分Ｌ１３の上方部分に設けられたものであってその左フィン前部稜線Ｌ１３ａの上端になだらかに結合する左フィンスカート部稜線Ｌ１５ａが、その左フィンスカート部稜線Ｌ１５ａの結合点から上記のサーフボードＳへの先端接触点Ｓ１に向かって前方に末広がりの放物線状または曲線状に伸びているものである。一方、これは、その左フィンスカート部稜線Ｌ１５ａから上記のサーフボードｓに接触する面Ｓ２に向かって放物線の面状または曲線の面状に広がっているものである。、さらに：
左フィン内側表面部分Ｌ１６がある（図１１と図１２を参照。この左フィン内側表面部分Ｌ１６は、上記の左フィンＬ１０の内側の全面にわたっている起伏のない平面状態のものである。
【００３３】
最後に、本発明の請求項３に記載した発明の実施例を説明する。この発明は、上記の請求項１に記載の単独のフィン１０の左右に、請求項２に記載の２分割対フィンを成す右フィンＤ１０と左フィンＬ１０をまたがって設けたサーフボードの乱流抑止形状フィンである。したがって、上記の請求項１と２の発明の実施例の説明をここに援用する。
【産業上の利用可能性】
【００３４】
サーフボードのフィンに生じる乱流を抑制して、よりよいサーフボードの競技が発展する。
【図面の簡単な説明】
【００３５】
【図１】従来のサーフボードのフィンに生じる乱流の説明図であって、そのＡはその右側面図を示し、そのＢはその正面図を示したものである。
【図２】本発明にかかるサーフボードの乱流抑止形状フィンの一実施例であって、そのＡはその右側面図を示し、そのＢはその正面図を示したものである。
【図３】図２のものの表面の形状部分を見かけ上区分し分けした説明図であって、そのＡはその右側面図を示し、そのＢはその正面図を示したものである。
【図４】図３のＡのものの一部拡大図を示している。
【図５】図４のもののＡ−Ａ’線とＢ−Ｂ’線とＣ−Ｃ’線のそれぞれの断面の端面図を示したものである。
【図６】図２のもののＤ−Ｄ’線断面の端面図である。
【図７】本発明にかかるサーフボードの乱流抑止形状フィンの他の実施例の正面図である。
【図８】図７のものの右フィン部分の右側面図を示し、説明用にその表面の形状部分を見かけ上の区分分けをしたものである。
【図９】図７のものの右フィン部分の左側面図を示したものである。
【図１０】図７のものの左フィン部分の左側面図を示し、説明用にその表面の形状部分を見かけ上の区分分けをしたものである。
【図１１】図７のものの左フィン部分の右側面図を示したものである。
【図１２】図７のもののＥ−Ｅ’線断面の端面図である。
【符号の説明】
【００３６】
１０  フィン
１１  フィン装着部
１２  フィンの中央部左右表面形状部分
１３  前方稜線付近左右表面形状部分
13ａ  前部稜線
１４  後方稜線付近左右表面形状部分
14ａ  後部稜線
１５  スカート型左右表面形状部分
15ａ  スカート部稜線
15ｂ  スカート面
Ｓ    サーフボード
Ｓ２  先端接触点
Ｓ１  両側面
Ｒ１０  右フィン
Ｒ１１  右フィン装着部
Ｒ１２  右フィンの中央部右表面形状部分
Ｒ１３  前方稜線付近右表面形状部分
Ｒ13ａ  右フィン前部稜線
Ｒ１４  後方稜線付近右表面形状部分
Ｒ14ａ  右フィン後部稜線
Ｒ１５  スカート型右表面形状部分
Ｒ15ａ  右フィンスカート部稜線
Ｒ１６  右フィン内側表面部分
Ｌ１０  左フィン
Ｌ１１  左フィン装着部
Ｌ１２  左フィンの中央部左表面形状部分
Ｌ１３  前方稜線付近左表面形状部分
Ｌ13ａ  左フィン前部稜線
Ｌ１４  後方稜線付近左表面形状部分
Ｌ14ａ  左フィン後部稜線
Ｌ１５  スカート型左表面形状部分
Ｌ15ａ  左フィンスカート部稜線
Ｌ１６  左フィン内側表面部分
【図１】
2007022408.tif 000003
【図２】
2007022408.tif 000004
【図３】
2007022408.tif 000005
【図４】
2007022408.tif 000006
【図５】
2007022408.tif 000007
【図６】
2007022408.tif 000008
【図７】
2007022408.tif 000009
【図８】
2007022408.tif 000010
【図９】
2007022408.tif 000011
【図１０】
2007022408.tif 000012
【図１１】
2007022408.tif 000013
【図１２】
2007022408.tif 000014